(57)【要約】【課題】ノイズ対策を施したワイヤーハーネスにより、遊技機の電磁波ノイズによる誤動作を防止すること。【解決手段】ワイヤーハーネス６００は、パチンコ遊技機１０の内部に設けられた複数の電気部品を電気的に接続する複数の電気配線６０１と、複数の電気部品に電気的に接続する導線をコイル形状に形成し、複数の電気配線の延びる方向と略同一方向に延びるコイル部コイル部６０２とを備え、複数の電気配線６０１は、コイル部６０２の内部に配置したので、ワイヤーハーネス６００に電気信号が流されると、コイル部６０２の導線に電流が流れ、コイル形状の導線を覆うように、このコイル部６０２の延びる方向に回転する磁場が発生する。【選択図】図５
2008136547.tif 000002
【特許請求の範囲】
【請求項１】
遊技機の内部に設けられた複数の電気部品を電気的に接続する複数の電気配線と、
前記複数の電気部品に電気的に接続する導線をコイル形状に形成し、前記複数の電気配線の延びる方向と略同一方向に延びるコイル部とを備え、
前記複数の電気配線は、前記コイル部の内部に配置されることを特徴とする遊技機用のワイヤーハーネス。
【請求項２】
前記コイル部の導線は、前記複数の電気配線の延びる方向に所定の間隔で巻き回されることを特徴とする請求項１に記載の遊技機用のワイヤーハーネス。
【発明の詳細な説明】
【技術分野】
【０００１】
本発明は、例えば、パチンコ遊技装置、パチスロ遊技装置、スロットマシン等の遊技機用のワイヤーハーネスに関する。
【背景技術】
【０００２】
従来の遊技機には、遊技者に向けて遊技盤が設けられ、この遊技盤の裏側には、当該遊遊技機を制御するための制御基板等の各種電気部品が設けられている。これらの電気部品は、複数の電気配線を束ねた電気配線束により電気的に接続されている。この電気配線束の両端には、電気部品と電気配線束とを接合するコネクタが設けられている。この電気配線束とコネクタを一体化した部品を一般に「ワイヤーハーネス」と呼んでいる。例えば、各種電装品をワイヤーハーネスにより電気的に接続したパチンコ遊技機がある（特許文献１参照）。
【０００３】
ところで、遊技機が設置される遊技場は、静電気が帯電した遊技球、球補給機、島設備、インバータ照明等から生ずる電磁波ノイズが多く存在し、この電磁波ノイズにより遊技機の内部に設けられた各種電気部品に誤作動を生じさせる可能性がある。
【０００４】
このような電磁波ノイズは、各種電気部品を電気的に接続する電気配線束中の電気信号に影響を与えるおそれがある。このような電磁波ノイズによって生ずる悪影響は遊技場管理者、遊技者の双方にとって好ましくない。
【０００５】
そこで、主基板からサブ基板へシリアル通信線を介して電気信号を送信する遊技機において、この主基板にノイズ検知器と判断部とを備えた遊技機がある（特許文献２参照）。この特許文献２の遊技機によれば、ノイズ検知器によりシリアル通信線に乗った電磁波ノイズを検出し、判断部によりこの電磁波ノイズの水準を判定し、主基板は、この電磁波ノイズの水準に応じた電気信号をサブ基板に送信する。これにより、適格な電気信号をサブ基板に送信できるので、電磁波ノイズによって生ずる悪影響を軽減できる。
【特許文献１】特開２００１−３２１４９４号公報
【特許文献２】特開２００３−２６５８１０号公報
【発明の開示】
【発明が解決しようとする課題】
【０００６】
しかし、従来の遊技機では、特許文献２の遊技機のように各種電気部品の構成等によってノイズ対策を行っているものの、これらの電気部品を電気的に接続するワイヤーハーネスに十分なノイズ対策を施していない。
【０００７】
本発明は、上述した課題に鑑みてなされたものであり、その目的は、ノイズ対策を施したワイヤーハーネスにより、遊技機の電磁波ノイズによる誤動作を防止することである。
【課題を解決するための手段】
【０００８】
以上のような目的を達成するために、本発明は、以下のようなものを提供する。
【０００９】
（１）  遊技機（例えば、実施形態におけるパチンコ遊技機１０）の内部に設けられた複数の電気部品を電気的に接続する複数の電気配線（例えば、実施形態における電気配線６０１）と、前記複数の電気部品に電気的に接続する導線をコイル形状に形成し、前記複数の電気配線の延びる方向と略同一方向に延びるコイル部（例えば、実施形態におけるコイル部６０２）とを備え、前記複数の電気配線は、前記コイル部の内部に配置されることを特徴とする遊技機用のワイヤーハーネス（例えば、実施形態におけるワイヤーハーネス６００）。
【００１０】
（１）の発明によれば、遊技機用のワイヤーハーネスを、遊技機の内部に設けられた複数の電気部品を電気的に接続する複数の電気配線と、複数の電気部品を電気的に接続する導線をコイル形状に形成し、複数の電気配線の延びる方向と略同一方向に延びるコイル部とで構成し、これらの複数の電気配線を、コイル部の内部に配置した。これにより、この遊技機用のワイヤーハーネスに電気信号が流されるとともに、コイル部６０２の導線に所定量の電流が流され、コイル形状の導線を覆うように、このコイル部の延びる方向に回転する磁場が発生する。
【００１１】
これにより、電磁波ノイズの電場は、コイル部の導線により受けることができる。また、電磁波ノイズの電場は、コイル部により発生した磁場により遮断することができる。したがって、コイル部の内部に配置した複数の電気配線が電磁波ノイズの影響を受けることを抑制できるので、ノイズ対策を施したワイヤーハーネスにより、遊技機の電磁波ノイズによる誤動作を防止できる。
【００１２】
（２）  （１）に記載の遊技機用のワイヤーハーネスにおいて、前記コイル部の導線は、前記複数の電気配線の延びる方向に所定の間隔で巻き回されることを特徴とする遊技機用のワイヤーハーネス。
【００１３】
（２）の発明によれば、（１）に記載の発明に加え、コイル部の導線を、複数の電気配線の延びる方向に所定の間隔で巻き回したので、これらの複数の電気配線を束ねる結束具を用いることなく、複数の電気配線が拡がるのを防止できるので、複数の電機部品の電気的な接続作業が容易になる。さらに、コイル部からより均一な磁場を発生することができるので、ノイズ対策を施したワイヤーハーネスにより、遊技機の電磁波ノイズによる誤動作をより確実に防止できる。
【発明の効果】
【００１４】
本発明によれば、ノイズ対策を施したワイヤーハーネスにより、遊技機の電磁波ノイズによる誤動作を防止できる。
【発明を実施するための最良の形態】
【００１５】
以下に、本発明に好適な実施形態について図面に基づいて説明する。なお、以下において説明する実施形態においては、本発明に係る遊技機に好適な実施形態として本発明を第１種パチンコ遊技機（「デジパチ」とも称される）に適用した場合を示す。
【００１６】
＜第１実施形態＞
［遊技機の構成］
図１及び図２を用いて、遊技機の概観について説明する。図１は、第１実施形態におけるパチンコ遊技機１０の概観を示す斜視図である。
【００１７】
パチンコ遊技機１０は、略矩形状の本体枠１２と、この本体枠１２の内部に配設される各種の部品と、本体枠１２に軸着され、前方に開閉自在なベースドア１７と、このベースドア１７に軸着され、前方に開閉自在な扉１１とから構成されている。扉１１には、略中央に扉１１の前方に開閉自在に軸着された前面扉１１ａが配設されている。また、扉１１の前面扉１１ａの下方には、上皿２０、下皿２２、発射ハンドル２６等が配設されている。また、この扉１１は、本体枠１２を前面から閉鎖するためのものであり、通常閉鎖した状態で遊技が行われる。
【００１８】
図２は、第１実施形態におけるパチンコ遊技機１０の概観を示す分解斜視図である。本体枠１２は、前面に開口１２ａが形成されている。この本体枠１２の内部には、ベースドア１７において、前面側から後面側に向かって、遊技盤１４、スペーサー３１、液晶表示装置３２が配設されており、ベースドア１７の後面側には後述する基板ユニット４００や球払出ユニット５００が設けられている。なお、遊技盤１４、スペーサー３１、液晶表示装置３２以外の各種の部品（図示せず）については、理解を容易にするために説明を省略する。
【００１９】
遊技盤１４は、扉１１が閉鎖された状態で保護板１９に対面するように配設されている。また、遊技盤１４は、透過性領域としてその全部が透過性を有する板形状の樹脂（透過性を有する部材）によって形成されている。この透過性を有する部材としては、例えば、アクリル樹脂、ポリカーボネート樹脂、メタクリル樹脂など各種の材質が該当する。また、遊技盤１４は、その前面側に、発射された遊技球が転動可能な遊技領域１５を有している。この遊技領域１５は、ガイドレール３０に囲まれ、遊技球が転動可能な領域である。また、遊技盤１４における遊技領域１５には複数の障害釘１３が打ちこまれている。なお、第１実施形態において、遊技盤１４は、遊技領域の少なくとも一部が透過性領域からなる遊技盤とすることができる。
【００２０】
液晶表示装置３２は、スペーサー３１を挟んで、遊技盤１４における上記透過性領域の背後に設けられている。すなわち、液晶表示装置３２は、遊技盤１４の透過性を有する部材の背後に配置されている。この液晶表示装置３２は、遊技に関する画像の表示を可能とする表示領域３２ａを有している。この表示領域３２ａは、遊技盤１４の全部又は一部に、スペーサー３１を挟んで、背面側から重なるように配設される。言い換えると、この表示領域３２ａは、少なくとも、遊技盤１４における遊技領域１５の全部又は一部と重なるように遊技盤１４の後方に配設される。具体的には、液晶表示装置３２は、その表示領域３２ａが遊技領域１５の全部又は一部と、遊技領域外域１６の全部又は一部とに重なるように遊技盤１４の後方に配設される。この液晶表示装置３２における表示領域３２ａには、演出用の演出画像、装飾用の装飾画像等、各種の画像が表示される。
【００２１】
スペーサー３１は、遊技盤１４の後方（背面側）に配設されるとともに、液晶表示装置３２の前方（前面側）に配設される。つまり、スペーサー３１は、遊技盤１４と液晶表示装置３２によって挟持される。また、このスペーサー３１は、透過性を有した材料で形成されている。
【００２２】
前面扉１１ａの略中央には、透過性を有する保護板１９が配設されている。この保護板１９は、前面扉１１ａが閉鎖された状態で遊技盤１４の前面に対面するように配設されている。
【００２３】
上皿２０は、前面扉１１ａの下方に配設され、遊技領域１５に発射させるための遊技球が貯留される。下皿２２は、上皿２０の下方に配設される。また、上皿２０及び下皿２２には、貸し出された遊技球及び、所定の払出条件が成立した場合に払い出された遊技球が貯留される。
【００２４】
発射ハンドル２６は、下皿２２の側方に、本体枠１２に対して回動自在に設けられている。また、発射ハンドル２６の裏側には、駆動装置である発射ソレノイド（図示せず）が設けられている。更に、発射ハンドル２６の周縁部には、タッチセンサ（図示せず）が設けられている。このタッチセンサが遊技者により触接されたときには、遊技者により発射ハンドル２６が握持されたと検知される。発射ハンドル２６が遊技者によって握持され、かつ、時計回り方向へ回動操作されたときには、その回動角度に応じて発射ソレノイドに電力が供給され、上皿２０に貯留された遊技球が遊技盤１４の遊技領域１５に順次発射され、遊技が進められる。
【００２５】
図３は、第１実施形態におけるパチンコ遊技機１０の後面側の概観を示す斜視図である。ベースドア１７の後側には、基板ユニット４００、球払出ユニット５００等が設置されており、ベースドア１７を閉じた場合に、本体枠１２の裏側に配置される。基板ユニット４００は、ベースドア１７の後方に設置され、詳しくは後述するが、各種の基板が設けられ、これらの基板を基板ケース４５０によって覆っている。
【００２６】
球払出ユニット５００は、ベースドア１７の後方に設置されている。球払出ユニット５００は、遊技球を貯留するための球貯留タンク５１０と、球通路ケース５２０とから構成される。この球貯留タンク５１０には、上方に開放された開口５１２が形成され、遊技場における球搬送設備などから供給される遊技球を受け入れる。一方、球通路ケース５２０には、払出用の払出ソレノイド（図示せず）、払出球数検知センサ（図示せず）などが内包されている。また、球通路ケース５２０には、球貯留タンク５１０に貯留されている遊技球を、上皿２０又は下皿２２（図１参照）へと導くための球通路（図示せず）が設けられている。所定の条件が成立した場合には、球貯留タンク５１０などに貯留されていた所定数の遊技球がこの球通路を通過し、上皿２０又は下皿２２（図１参照）などに排出されることとなる。
【００２７】
図４は、第１実施形態におけるパチンコ遊技機１０の基板ユニット４００の概観を示す分解斜視図である。基板ユニット４００は、各種の基板を覆う透明な基板ケース４５０を備える。この基板ケース４５０は、カバー部４５０ａとベース部４５０ｂとによって構成されている。ベース部４５０ｂは、ベースドア１７の後側に取り付けられ、このベース部４５０ｂの後側には、主制御基板４１０と、副制御基板４２０と、共用基板４４０などが設けられている。カバー部４５０ａは、ベース部４５０ｂに設けられた主制御基板４１０と、副制御基板４２０と、共用基板４４０などを覆って、ベース部４５０ｂに固定される。
【００２８】
主制御基板４１０には、主制御回路６０が実装されている。主制御回路６０は、パチンコ遊技機１０の遊技の実行を制御する。また、主制御回路６０は、遊技の実行に関するコマンドを、ワイヤーハーネス６００を介して、副制御基板４２０に送信する。
【００２９】
副制御基板４２０には、副制御回路２００が実装されている。副制御回路２００は、主制御回路６０からワイヤーハーネス６００を介して送信されたコマンドに基づき、パチンコ遊技機１０における画像演出、音演出、ランプ演出など、各種の演出を行う。
【００３０】
共用基板４４０には、主制御基板４１０の主制御回路６０に電力を供給する電力供給回路４４５（図６参照）、払出・発射制御回路４４７（図６参照）が実装されている。
【００３１】
［ワイヤーハーネスの構成］
次に、ワイヤーハーネス６００について説明する。図５は、第１実施形態におけるパチンコ遊技機１０のワイヤーハーネス６００の斜視図である。ワイヤーハーネス６００は、主制御回路６０と副制御回路２００とを電気的に接続する複数の電気配線６０１と、この複数の電気配線６０１の周囲に巻き回されたコイル部６０２と、この複数の電気配線６０１とコイル部６０２の両端に夫々接続されたコネクタ６０５とを備える。
【００３２】
複数の電気配線６０１は、導線で形成され、絶縁素材により被覆されている。この複数の電気配線６０１には、主制御回路６０から副制御回路２００に送信されるコマンドを示す電気信号が流される。複数の電気配線６０１の本数は、この送信されるコマンドの種類に応じて決定される。
【００３３】
コイル部６０２は、導線で形成され、電気配線６０１の延びる方向と略同一方向に延びるコイル状に形成されている。すなわち、複数の電気配線６０１は、コイル部６０２の内部に配置されている。また、このコイル部の導線は、複数の電気配線６０１の延びる方向に所定の間隔で巻き回されている。また、コイル部６０２には、主制御回路６０から副制御回路２００に向けて、所定量の電流が流される。
【００３４】
コネクタ６０５は、その内部に複数の電気接続端子６０５ａを有し、この複数の電気接続端子６０５ａに複数の電気配線６０１及びコイル部６０２の端部が夫々接続されている。このコネクタ６０５は、主制御回路６０及び副制御回路２００に夫々設けられたコネクタソケット（図示無し）に係合する。コネクタ６０５とコネクタソケットが係合すると、コネクタ６０５の複数の電気接続端子６０５ａは、このコネクタソケット内部に設けられた電気接続端子（図示無し）と電気的に接続する。
【００３５】
［遊技機の電気的構成］
第１実施形態におけるパチンコ遊技機１０の制御回路について図６を用いて説明する。図６は、第１実施形態におけるパチンコ遊技機１０の制御回路を示すブロック図である。
【００３６】
遊技制御手段としての主制御回路６０は、図６に示すように、制御手段であるメインＣＰＵ６６、メインＲＯＭ（読み出し専用メモリ）６８、記憶手段の一例であるメインＲＡＭ（読み書き可能メモリ）７０を備えている。この主制御回路６０は、遊技の進行を制御する。
【００３７】
メインＣＰＵ６６には、メインＲＯＭ６８、メインＲＡＭ７０などが接続されており、このメインＲＯＭ６８に記憶されたプログラムに従って、各種の処理を実行する機能を有する。
【００３８】
メインＲＯＭ６８には、メインＣＰＵ６６によりパチンコ遊技機１０の動作を制御するためのプログラムや、各種テーブルが記憶されている。メインＲＡＭ７０は、メインＣＰＵ６６の一時記憶領域として種々のフラグや変数の値や、後述する副制御回路２００にコマンドを供給するためのデータを記憶する。
【００３９】
また、この主制御回路６０は、所定の周波数のクロックパルスを生成するリセット用クロックパルス発生回路６２、電源投入時においてリセット信号を生成する初期リセット回路６４、後述する副制御回路２００に対してコマンドを供給するためのシリアル通信用ＩＣ７２を備えている。また、これらのリセット用クロックパルス発生回路６２、初期リセット回路６４、シリアル通信用ＩＣ７２は、メインＣＰＵ６６に接続されている。また、主制御回路６０には、各種センサが接続されている。また、主制御回路６０には、電力供給回路４４５が接続されている。この電力供給回路４４５は、外部電源に接続され、この外部電源から供給された電力を主制御回路６０に供給する。また、主制御回路６０には、払出・発射制御回路４４７が接続されている。この払出・発射制御回路４４７には、遊技球の払出を行う払出装置や、遊技球の発射を行う発射装置や、カードユニットが接続されている。
【００４０】
一方、シリアル通信用ＩＣ７２には、ワイヤーハーネス６００の一端が接続されている。また、ワイヤーハーネス６００の他端には、副制御回路２００が接続されている。
【００４１】
副制御回路２００は、主制御回路６０から送信され、ワイヤーハーネス６００を流れてくる電気信号が示すコマンドを解析して、各種の演出用の電気装置を制御する。副制御回路２００は、サブＣＰＵ２０６、プログラムＲＯＭ２０８、ワークＲＡＭ２１０、液晶表示装置３２において表示制御を行う表示制御回路２５０、スピーカ４６から発生させる音声に関する制御を行う音声制御回路２３０、ランプ１３２や可動役物に関する制御を行う駆動回路２４０を備える。副制御回路２００は、主制御回路６０からのコマンドに応じて遊技の進行に応じた演出を実行する。
【００４２】
第１実施形態によれば、遊技機用のワイヤーハーネス６００を、パチンコ遊技機１０の内部に設けられた主制御回路６０と副制御回路２００とを電気的に接続する複数の電気配線６０１と、主制御回路６０と副制御回路２００とを電気的に接続する導線をコイル形状に形成し、複数の電気配線６０１の延びる方向と略同一方向に延びるコイル部６０２とで構成し、これらの複数の電気配線６０１を、コイル部６０２の内部に配置した。これにより、この遊技機用のワイヤーハーネス６００に電気信号が流されるとともに、コイル部６０２の導線に所定量の電流が流され、コイル形状の導線を覆うように、このコイル部６０２の延びる方向に回転する磁場が発生する。
【００４３】
これにより、例えば、パチンコ遊技機１０の内部で発生した電磁波ノイズの電場は、コイル部６０２の導線により受けることができる。また、この電磁波ノイズの電場は、コイル部６０２により発生した磁場により遮断することができる。したがって、コイル部６０２の内部に配置した複数の電気配線６０１が電磁波ノイズの影響を受けることを抑制できるので、ノイズ対策を施したワイヤーハーネスにより、遊技機の電磁波ノイズによる誤動作を防止できる。
【００４４】
また、コイル部６０２の導線を、複数の電気配線６０１の延びる方向に所定の間隔で巻き回したので、これらの複数の電気配線６０１を束ねる結束具を用いることなく、複数の電気配線６０１が拡がるのを防止できるので、複数の電機部品の電気的な接続作業が容易になる。さらに、コイル部６０２からより均一な磁場を発生することができるので、ノイズ対策を施したワイヤーハーネスにより、遊技機の電磁波ノイズによる誤動作をより確実に防止できる。
【００４５】
＜第２実施形態＞
以下の第２実施形態の説明にあたって、第１実施形態と同一構成要件については同一符号を付し、その説明を省略もしくは簡略化する。
図７は、第２実施形態におけるパチンコ遊技機１０のワイヤーハーネス６１０の斜視図である。
【００４６】
第２実施形態のワイヤーハーネス６１０では、コイル部６１２の導線が、複数の電気配線６０１の延びる方向に密に複数の電気配線６０１に巻き回されている点が、第１実施形態と異なる。第２実施形態によれば、複数の電気配線６０１にコイル部６１２の導線を隙間なく巻き回すことで、複数の電気配線６０１における、電磁波ノイズの遮蔽性がより向上する。
【００４７】
以上、実施形態について説明したが、本発明はこれに限られるものではない。
【００４８】
第１実施形態及び第２実施形態では、ワイヤーハーネス６００、６１０を主制御回路６０と副制御回路２００とを電気的に接続するために用いたが、これに限られるものではない。ワイヤーハーネス６００、６１０は、パチンコ遊技機１０の内部に設けられたあらゆる複数の電気部品を電気的に接続するために用いてもよい。
【図面の簡単な説明】
【００４９】
【図１】第１実施形態におけるパチンコ遊技機の概観を示す斜視図である。
【図２】第１実施形態におけるパチンコ遊技機の概観を示す分解斜視図である。
【図３】第１実施形態におけるパチンコ遊技機の後面側の概観を示す斜視図である。
【図４】第１実施形態におけるパチンコ遊技機の基板ユニットの概観を示す分解斜視図である。
【図５】第１実施形態におけるパチンコ遊技機のワイヤーハーネスの斜視図である。
【図６】第１実施形態におけるパチンコ遊技機の制御回路を示すブロック図である。
【図７】第２実施形態におけるパチンコ遊技機のワイヤーハーネスの斜視図である。
【符号の説明】
【００５０】
１０    パチンコ遊技機
６０    主制御回路
２００    副制御回路
６００    ワイヤーハーネス
６０１    電気配線
６０２    コイル部
【図１】
2008136547.tif 000003
【図２】
2008136547.tif 000004
【図３】
2008136547.tif 000005
【図４】
2008136547.tif 000006
【図５】
2008136547.tif 000007
【図６】
2008136547.tif 000008
【図７】
2008136547.tif 000009